(57)【特許請求の範囲】
【請求項１】
下板と、下板に対して軸線周りに回転自在に支持された上板と、上板上で靴が脱がれて上板に対する利用者の体重が負荷されないようになったことを契機に上板を１８０度回転させることによって上板上の靴の向きを変えるための上板反転機構とを備えた靴脱ぎ台であって、
前記上板反転機構は、
前記下板及び上板の間に配置されて前記上板に一体回転可能に連結され、相反する方向に半円弧状の凸周面を有すると共に水平方向に沿ってずらして一体とされた一対のカムから構成されており、これら対をなすカム同士で区画されて対向する一対の凹角部同士が互いに１８０度位相した関係を有する形状をなしている回転盤と、
この回転盤を挟んで対向配置されており、前記下板に対して基端部を支点として揺動自在に取り付けられた一対のアームと、
これら対をなすアームをそれぞれ前記回転盤の最小長さ部に向かう方向に戻す付勢力を有する一対の付勢手段とを含み、
前記上板上に利用者が乗っていないときには、前記一方のアームの先端部が前記回転盤の一方の凹角部に係合すると共に他方のアームの先端部が前記回転盤の他方の凹角部に係合した状態となり、
前記上板上に靴を履いて利用者が乗ったときには、前記一方の付勢手段の付勢力に抗して前記一方のアームが前記一方のカムを押圧しながら前記回転盤の前記一方の凹角部から前記一方のカムの凸角部を越えて前記凸周面に達するまで揺動され、前記他方の付勢手段の付勢力に抗して前記他方のアームが前記他方のカムを押圧しながら前記回転盤の前記他方の凹角部から前記他方のカムの凸角部を越えて前記凸周面に達するまで揺動され、
靴を脱いで前記上板から利用者が離れたときには、前記一対のアームを前記回転盤の最小長さ部に向かう方向に戻そうとする前記一対の付勢手段の付勢力によって前記回転盤が回転し、前記一方のアームの先端部が前記回転盤の前記他方の凹角部に係合され、前記他方のアームの先端部が前記回転盤の前記一方の凹角部に係合されることによって前記回転盤の回転が停止されることを特徴とする靴脱ぎ台。
【請求項２】
請求項１に記載の靴脱ぎ台において、
前記上板は、前記下板に対して上下移動可能とされ、
前記上板反転機構は、
前記対をなすアームの各基端部の前記支点より先端側において前記対をなすアームの戻り方向とは反対側に向かって下り方向に漸次傾斜して形成されたテーパ面と、
前記回転盤の外周側において前記回転盤の回転軌跡と同心円をなすように、前記上板の内面から前記下板に向かって突出して形成されており、その端面が、前記下板の内底面及び内側面並びに前記対をなすアームのテーパ面と共に一対のボールを各々保持するポケットを区画するレールとをさらに含み、
前記上板上に靴を履いて利用者が乗ったときには、前記上板が沈み込むのに伴って前記各ボールが前記対をなすアームのテーパ面に沿って押し下げられ、このボールが押し下げられる力によって前記対をなすアームが対応する付勢手段の付勢力に抗して前記回転盤の最小長さ部から離間する方向に揺動され、
靴を脱いで前記上板から利用者が離れたときには、前記各ボールが前記対をなすアームの基端部によって前記各テーパ面に沿って押し上げられて前記回転盤と一体回転する前記上板の回転力によって自転することを特徴とする靴脱ぎ台。
【請求項３】
請求項１又は２に記載の靴脱ぎ台において、
前記対をなすアームの各先端部には、ローラが取り付けられていることを特徴とする靴脱ぎ台。
【発明の詳細な説明】
【技術分野】
【０００１】
本発明は、自動的に靴を１８０度回転（以下、「反転」と称することもある。）させてその方向を変えることのできる靴脱ぎ台に関する。
【背景技術】
【０００２】
靴を脱いで上板から利用者が離れたときに、自動的に靴を１８０度回転させて靴の向きを変える技術として、モータを使用して電気的に靴の向きを変える技術と、機械的要素のみで靴の向きを変える技術とが提案されている。
【０００３】
前者に関しては、特許文献１〜３にて開示されたものがその典型的な技術として挙げることができる。
【０００４】
他方、後者に関しては、特許文献４にて開示されたものがその典型的な技術として挙げることができる。
【特許文献１】実開平６−７０８１号公報
【特許文献２】実開平７−３４７８０号公報
【特許文献３】特開平５−２６９０３８号公報
【特許文献４】実開昭６１−１８５３８７号公報
【発明の開示】
【発明が解決しようとする課題】
【０００５】
特許文献１〜３に記載の技術では、上板の反転にモータの駆動力を使用しており、靴脱ぎ台が重量化するばかりか、モータの精密且つ複雑な制御等が要求される。
【０００６】
他方、特許文献４に記載の技術では、上板に靴を履いた利用者が乗ると、上板が回転せずに上板の下部に設けた摺動回転体の雄ねじが支持台に形成した雌ねじに螺入して摺動回転体が復帰用ばねに抗して回転しながら下方に移動し、摺動回転体と共に支持台に設けた従動回転体も回転し、摺動回転体が１８０度回転する。そして、利用者が靴を脱いで上板より離れると同時に復帰用ばねの反力（付勢力）により、支持台の雌ねじに螺合した摺動回転体の雄ねじが螺脱方向に回転して摺動回転体が上方に移動しながら１８０度回転し、それによって上板上の靴も摺動回転体と共に１８０度回転して自動的に靴が方向転換される。
【０００７】
このように、上記特許文献４では、摺動回転体の反転に際しては雄ねじと雌ねじとの螺入及び螺脱が不可欠であり、靴を方向転換するための上板の反転が円滑に行なわれないおそれがある。
【０００８】
本発明は、上記技術的課題に鑑みなされたもので、機械的要素のみで上板の反転を円滑に行なえる、軽量な靴脱ぎ台の提供を目的とする。
【課題を解決するための手段】
【０００９】
上記目的を達成するため、本発明に係る靴脱ぎ台は、下板と、下板に対して軸線周りに回転自在に支持された上板と、上板上で靴が脱がれて上板に対する利用者の体重が負荷されないようになったことを契機に上板を１８０度回転させることによって上板上の靴の向きを変えるための上板反転機構とを備えた靴脱ぎ台であって、前記上板反転機構は、前記下板及び上板の間に配置されて前記上板に一体回転可能に連結され、相反する方向に半円弧状の凸周面を有すると共に水平方向に沿ってずらして一体とされた一対のカムから構成されており、これら対をなすカム同士で区画されて対向する一対の凹角部同士が互いに１８０度位相した関係を有する形状をなしている回転盤と、この回転盤を挟んで対向配置されており、前記下板に対して基端部を支点として揺動自在に取り付けられた一対のアームと、これら対をなすアームをそれぞれ前記回転盤の最小長さ部に向かう方向に戻す付勢力を有する一対の付勢手段とを含み、前記上板上に利用者が乗っていないときには、前記一方のアームの先端部が前記回転盤の一方の凹角部に係合すると共に他方のアームの先端部が前記回転盤の他方の凹角部に係合した状態となり、前記上板上に靴を履いて利用者が乗ったときには、前記一方の付勢手段の付勢力に抗して前記一方のアームが前記一方のカムを押圧しながら前記回転盤の前記一方の凹角部から前記一方のカムの凸角部を越えて前記凸周面に達するまで揺動され、前記他方の付勢手段の付勢力に抗して前記他方のアームが前記他方のカムを押圧しながら前記回転盤の前記他方の凹角部から前記他方のカムの凸角部を越えて前記凸周面に達するまで揺動され、靴を脱いで前記上板から利用者が離れたときには、前記一対のアームを前記回転盤の最小長さ部に向かう方向に戻そうとする前記一対の付勢手段の付勢力によって前記回転盤が回転し、前記一方のアームの先端部が前記回転盤の前記他方の凹角部に係合され、前記他方のアームの先端部が前記回転盤の前記一方の凹角部に係合されることによって前記回転盤の回転が停止される。
【００１０】
上記構成によれば、最初に上板上に利用者が乗っていないときには、一方のアームの先端部が回転盤の一方の凹角部に係合し且つ他方のアームの先端部が回転盤の他方の凹角部に係合する。そして、上板上に靴を履いて利用者が乗ると、一方の付勢手段の付勢力に抗して一方のアームが一方のカムを押圧しながら回転盤の一方の凹角部から一方のカムの凸角部を越えて前記凸周面に達するまで揺動されると同時に他方の付勢手段の付勢力に抗して他方のアームが他方のカムを押圧しながら回転盤の他方の凹角部から他方のカムの凸角部を越えて前記凸周面に達するまで揺動される。その後、靴を脱いで上板から利用者が離れると、対をなすアームを回転盤の最小長さ部に向かう方向に戻そうとする一対の付勢手段の付勢力によって回転盤が回転して一方のアームの先端部が回転盤の他方の凹角部に係合すると同時に他方のアームの先端部が回転盤の一方の凹角部に係合することによって回転盤の回転が停止する。その結果、上板は、回転盤と共に１８０度回転して停止するので、上板上に置かれた靴の方向は、反転して方向を変えることになる。
【００１１】
また、上記靴脱ぎ台において、前記上板は、前記下板に対して上下移動可能とされ、前記上板反転機構は、前記対をなすアームの各基端部の前記支点より先端側において前記対をなすアームの戻り方向とは反対側に向かって下り方向に漸次傾斜して形成されたテーパ面と、前記回転盤の外周側において前記回転盤の回転軌跡と同心円をなすように、前記上板の内面から前記下板に向かって突出して形成されており、その端面が、前記下板の内底面及び内側面並びに前記対をなすアームのテーパ面と共に一対のボールを各々保持するポケットを区画するレールとをさらに含み、前記上板上に靴を履いて利用者が乗ったときには、前記上板が沈み込むのに伴って前記各ボールが前記対をなすアームのテーパ面に沿って押し下げられ、このボールが押し下げられる力によって前記対をなすアームが対応する付勢手段の付勢力に抗して前記回転盤の最小長さ部から離間する方向に揺動され、靴を脱いで前記上板から利用者が離れたときには、前記各ボールが前記対をなすアームの基端部によって前記各テーパ面に沿って押し上げられて前記回転盤と一体回転する前記上板の回転力によって自転する。
【００１２】
上記構成によれば、上板上に靴を履いて利用者が乗ると、上板が沈み込んでボールが対をなすアームの各テーパ面に沿って押し下げられる。このボールが押し下げられる力を利用することによって、対をなすアームが対応する付勢手段の付勢力に抗して回転盤の最小長さ部から離間する方向に揺動される。このように簡単な構成で、対をなすアームを回転盤の最小長さ部から離間する方向に揺動させることができる。その後、靴を脱いで上板から利用者が離れると、ボールは、対をなすアームの各基端部によってテーパ面に沿って押し上げられる。このとき、上板が回転盤と一体回転しているので、ボールは自転する。そのため、回転盤と共に上板が反転する際の上板に対する摩擦抵抗が低減される。
【００１３】
さらに、上記靴脱ぎ台において、前記対をなすアームの各先端部には、ローラが取り付けられている。
【００１４】
上記構成によれば、上記付勢手段の付勢力により回転盤が回転し始めるときに、アームの先端部のローラは、回転盤の対をなすカムの凸角部を越えた凸周面に接触しているので、回転盤の回転に伴ってそのカムの凸周面を押す方向に転動する。その結果、回転盤の反転速度が増す。
【発明の効果】
【００１５】
本発明によると、機械的要素のみで上板の反転を円滑に行なえる。その結果、靴脱ぎ台は軽量なものとなる。
【発明を実施するための最良の形態】
【００１６】
以下、本発明の実施の形態を添付図面に基づいて詳細に説明する。
【００１７】
＜構成＞
図１は本発明の実施の形態に係る靴脱ぎ台１を上方から透視的に見た平面図、図２Ａは図１のＦ−Ｆ線断面図、図２Ｂは図１のＧ−Ｇ線断面図である。
【００１８】
図１及び図２を参照して、本実施の形態に係る靴脱ぎ台１は、下板２と、上板３と、上板３上で靴が脱がれて上板３に対する利用者の体重が負荷されないようになったことを契機に上板３を１８０度回転させることによって上板３上の靴の向きを変えるための上板反転機構４とを備えている。
【００１９】
下板２は、正方形をなす平面形状を有している。この下板２の内面の中心部には、円筒形状をなすボス筒５が上板３に向かって立設されている。また、下板２の内面においてボス筒５を挟んだ両側には、対をなす支持軸６Ａ，６Ｂが上板３に向かって立設されている。これら支持軸６Ａ，６Ｂは、ボス筒５の中心を中心とした同心円上で対向配置されている。
【００２０】
上板３は、円形をなす平面形状を有している。この上板３の中心部には、円柱形状をなすボス７が下板２に向かって突設されている。このボス７は、上板３が下板２に対して上下移動が可能なように、軸受８を介してボス筒５に回転自在に支持されている。これにより、上板３は、下板２に対して回転自在とされる。なお、ボス７の突出寸法は、ボス筒５の深さ寸法と同寸に設定されている。
【００２１】
また、上板３の内面においてボス７を挟んだ両側には、対をなす突起９Ａ，９Ｂが下板２に向かって突設されている。これら突起９Ａ，９Ｂは、支持軸６Ａ，６Ｂよりも内側であってボス７の中心を中心とした同心円上で対向配置されている。なお、突起９Ａ，９Ｂの突出寸法は、ボス７の突出寸法と同寸である。加えて、支持軸６Ａ，６Ｂ及び突起９Ａ，９Ｂの両者の位置関係は、支持軸６Ａ，６Ｂ同士を結んだ線分と突起９Ａ，９Ｂ同士を結んだ線分とが交差するように設定されている。
【００２２】
上板反転機構４は、下板２及び上板３の両者の間に配置された回転盤１０と、回転盤１０を挟んで対向配置されており、基端部が下板２の支持軸６Ａ，６Ｂ周りにそれぞれ揺動自在に支持された一対のアーム１１Ａ，１１Ｂと、これら対をなすアーム１１Ａ，１１Ｂをそれぞれ回転盤１０の最小長さ部に向かう方向に戻す付勢力を有する一対のねじりコイルばね１２Ａ，１２Ｂとを含む。
【００２３】
回転盤１０は、相反する方向に半円弧状の凸周面１３Ａ，１３Ｂを有すると共に水平方向に沿ってずらして一体とされた一対のカム１４Ａ，１４Ｂから構成されており、これら対をなすカム１４Ａ，１４Ｂ同士で区画されて対向する一対の凹角部１５Ａ，１５Ｂ同士が互いに１８０度位相した関係を有する形状をなしている。この回転盤１０の第１及び第２のカム１４Ａ，１４Ｂには、それぞれ、円弧状の長孔１６Ａ，１６Ｂが形成されている。第１のカム１４Ａ側の長孔１６Ａには、上板３の第１の突起９Ａの先端部が嵌め込まれる一方、第２のカム１４Ｂ側の長孔１６Ｂには、上板３の第２の突起９Ｂが嵌め込まれている。第１の突起９Ａと第１の長孔１６Ａとの間には、第１の圧縮コイルばね１７Ａが介装されている一方、第２の突起９Ｂと長孔１６Ｂとの間には、第２の圧縮コイルばね１７Ｂが介装されている。これにより、回転盤１０は、下板２及び上板３の両者の間において上板３に一体回転可能に連結される。また、回転盤１０の中心部には、上板３のボス筒５が嵌め込まれる挿通孔２２が形成されている。この挿通孔２２を挟んだ両側には、第１及び第２の長孔１６Ａ，１６Ｂが対向配置されている。ここで、上記した回転盤１０の最小長さ部とは、図１からも明らかなように、一対の凹角部１５Ａ，１５Ｂ同士を直線で結ぶ長さ部のことであり、「対をなすアーム１１Ａ，１１Ｂをそれぞれ回転盤１０の最小長さ部に向かう方向に戻す付勢力」とは、アーム１１Ａ，１１Ｂの先端部を凹角部１５Ａ，１５Ｂに向かう方向に戻す付勢力という意味である。
【００２４】
対をなすアーム１１Ａ，１１Ｂは、長手の部材であって、その先端部には、それぞれ、ローラ１８Ａ，１８Ｂが取り付けられている。第１のアーム１１Ａは、その基端部が下板２の第１の支持軸６Ａに挿通され、下板２に対して第１の支持軸６Ａを支点として揺動自在に取り付けられている。一方、第２のアーム１１Ｂは、その基端部が下板２の第２の支持軸６Ｂに挿通され、下板２に対して第２の支持軸６Ｂを支点として揺動自在に取り付けられている。
【００２５】
第１のねじりコイルばね１２Ａは、そのねじり部が上記第１の支持軸６Ａに装着されている一方、第２のねじりコイルばね１２Ｂは、そのねじり部が上記第２の支持軸６Ｂに到着されている。
【００２６】
また、本実施の形態においては、上板反転機構４は、図２に示すように、対をなすアーム１１Ａ，１１Ｂの各基端部の支点となる支持軸６Ａ，６Ｂより先端側において形成されたテーパ面１９Ａ，１９Ｂと、端面が、上板３の内底面及び内側面並びにテーパ面１９Ａ，１９Ｂと共に一対のボール２０Ａ，２０Ｂを各々保持するポケットを区画するレール２１とをさらに含む。
【００２７】
テーパ面１９Ａ，１９Ｂは、図１及び図２（Ａ），（Ｂ）に示すように、第１及び第２のアーム１１Ａ，１１Ｂの各戻り方向Ｒ１とは反対方向Ｒ２に向かって下り方向に漸次傾斜して形成されている。
【００２８】
レール２１は、図１に示すように、回転盤１０の外周側において回転盤１０の回転軌跡と同心円をなすように、上板３の内面から下板２に向かって突出して形成されている。このレール２１端面は、図２に示すように、ボール２０Ａ，２０Ｂの形状に対応して凹面形状とされている。また、レール２１は、下板２の周縁部に形成されたレール２１と同心の環状の貫通孔２３に対して上下移動自在に嵌め込まれている。なお、レール２１の端面は、ボール２０Ａ，２０Ｂの形状に対応した凹面形状をなしている。
【００２９】
＜動作＞
図３〜図７を参照して、本靴脱ぎ台１の動作について説明する。以下では、最初に上板３上に利用者が乗っていないときには、図４において実線で示すように、第１のアーム１１Ａのローラ１８Ａが回転盤１０の第１のカム１４Ａの基端部と第２のカム１４Ａの凸周面１３Ａで区画される第１の凹角部１５Ａに係合し且つ第２のアーム１１Ｂのローラ１８Ｂが回転盤の第２のカム１４Ｂの基端部と第１のカム１４Ａの凸周面１３Ａで区画される第２の凹角部１５Ｂに係合しているものとして説明を行なう。
【００３０】
上板３上に靴Ｓを履いて利用者が乗ると、図３に示すように、上板３が沈み込む。このとき、靴脱ぎ台１内では、ボール２０Ａ，２０Ｂがレール２１の端面に押圧されて第１及び第２のアーム１１Ａ，１１Ｂの各テーパ面１９Ａ，１９Ｂに沿って（すなわち、各テーパ面１９Ａ，１９ＢをＲ１方向に押し退けるようにして）下がる。このボール２０Ａ，２０Ｂが下がるのと連動して、図４において１点鎖線で示すように、第１のアーム１１Ａが第１のねじりコイルばね１２Ａの付勢力に抗して回転盤１０の第１の凹角部１５Ａから離間するＲ２方向（第１のねじりコイルばね１２Ａが開く方向）に揺動すると同時に第２のアーム１１Ｂが第２のねじりコイルばね１２Ｂの付勢力に抗して回転盤１０の第２の凹角部１５Ｂから離間するＲ２方向（第２のねじりコイルばね１２Ｂが開く方向）に揺動する。すなわち、第１及び第２のアーム１１Ａ，１１Ｂの先端部の各ローラ１８Ａ，１８Ｂが回転盤１０の回転中心から離れる方向に開く。これに連動して、図４において点線で示すように、第１のアーム１１Ａのローラ１８Ａが第１のカム１４Ａを押圧しながら回転盤１０の第１の凹角部１５Ａから第１のカム１４Ａの凸角部１３Ａ１を越えて凸周面１３Ａに達するまで揺動されると同時に第２のアーム１１Ｂのローラ１８Ｂが第２のカム１４Ｂを押圧しながら回転盤１０の第２の凹角部１５Ｂから第２のカム１４Ｂの凸角部１３Ｂ１を越えて凸周面１３Ｂに達するまで揺動される。このとき、第１及び第２のアーム１１Ａ，１１Ｂが開くにつれて、回転盤１０が回転方向Ａ１と反対方向Ａ２に若干回転され、各長孔１６Ａ，１６Ｂ内の各圧縮コイルばね１７Ａ，１８Ｂが上板３の各突起９Ａ，９Ｂに受け止められて圧縮されるが、各ローラ１８Ａ，１８Ｂが各凸周面１３Ａ，１３Ｂの各凸角部１３Ａ１，１３Ｂ１を越えると、各圧縮コイルばね１７Ａ，１７Ｂの弾性復元力により、回転盤１０が回転方向Ａ１に回転して、定位置に戻される。この間の運動は、上板３が下板２に当接した時点で終了する。図５は、この状態を示している。
【００３１】
その後、靴Ｓを脱いで上板３から利用者が離れると、図５に示す状態から、第１及び第２のねじりコイルばね１２Ａ，１２Ｂが閉まりはじめ、それによって第１及び第２のアーム１１Ａ，１１Ｂをそれぞれ回転盤１０の最小長さ部に向かう方向（図５中、Ｒ１方向）に戻そうとする力が働く。このとき、第１及び第２のアーム１１Ａ，１１Ｂの先端部の各ローラ１８Ａ，１８Ｂは、回転盤１０の第１及び第２のカム１４Ａ，１４Ｂの各凸周面１３Ａ，１３Ｂに接触しているので、上記の力により第１及び第２のカム１４Ａ，１４Ｂの各凸周面１３Ａ，１３Ｂを押しながら転動し、第１及び第２のアーム１１Ａ，１１Ｂが閉じ始める。その結果、各ローラ１８Ａ，１８Ｂの転動に案内される形で、第１及び第２のカム１４Ａ，１４Ｂの各凸周面１３Ａ，１３Ｂが図５中Ａ１方向に移動する。すなわち、回転盤１０が図５中Ａ１方向に向かって回転し始める。これに伴って、図５中矢印Ｂ１で示すように、上板３も、各長孔１６Ａ，１６Ｂと各突起９Ａ，９Ｂとの係合関係により回転盤１０と共に同方向に回転し始める。同時に、図６に示すように、第１及び第２のアーム１１Ａ，１１Ｂの各基端部は、第１及び第２のアーム１１Ａ，１１Ｂがそれぞれ閉じる速度に応じてボール２０Ａ，２０Ｂを各テーパ面１９Ａ，１９Ｂに沿って押し上げていく。ボール２０Ａ，２０Ｂは、上板３が回転しているので、第１及び第２のアーム１１Ａ，１１Ｂの基端部によって押し上げられると同時に自転する（すなわち、レール２１端面の凹面形状内を上板３の回転方向に転動する）。
【００３２】
このように回転盤１０が回転し、図７に示すように、第１のアーム１１Ａのローラ１８Ａが回転盤１０の第２の凹角部１５Ｂに係合すると同時に第２のアーム１１Ｂのローラ１８Ｂが回転盤１０の第１の凹角部１５Ｂに係合すると、回転盤１０の回転が停止する。このとき、上板３は、回転盤１０と共に１８０度回転して停止するので、上板３上に置かれた靴Ｓの方向は、反転して方向を変えることになる。
【００３３】
＜作用・効果＞
本実施の形態によると、以下の作用・効果を奏する。
【００３４】
（１）上板３上に利用者が乗っておらず、第１及び第２のアーム１１Ａ，１１Ｂが回転盤１０の対向して対をなす第１及び第２の凹角部１５Ａ，１５に第１の状態（例えば、図１に示す状態）で係合しているときに、上板３上に靴を履いて利用者が乗ると、第１及び第２のねじりコイルばね１２Ａ，１２Ｂの付勢力に抗して第１及び第２のアーム１１Ａ，１１Ｂが第１及び第２のカム１４Ａ，１４Ｂを押圧しながら第１及び第２のカム１４Ａ，１４Ｂの各凸角部１３Ａ１，１３Ｂ１を越えて各凸周面１３Ａ，１３Ｂに達するまで揺動される。その後、靴を脱いで上板３から利用者が離れると、第１及び第２のアーム１１Ａ，１１Ｂを第１及び第２のねじりコイルばね１２Ａ，１２Ｂの付勢力を利用して回転盤１０が回転して第１及び第２のアーム１１Ａ，１１Ｂが上記回転盤１０の凹角部１５Ａ，１５Ｂに上記第１の状態とは反対の第２の状態（例えば、図７に示す状態）で係合することによって回転盤１０の回転が停止する。その結果、上板３は、回転盤１０と共に１８０度回転して停止するので、上板３上に置かれた靴Ｓの方向は、反転して方向を変えることになる。
【００３５】
（２）上板３上に靴を履いて利用者が乗ると、上板３が沈み込んでボール２０Ａ，２０Ｂが第１及び第２のアーム１１Ａ，１１Ｂの各テーパ面１９Ａ，１９Ｂに沿って押し下げられる。このボール２０Ａ，２０Ｂが押し下げられる力を利用することによって、第１及び第２のアーム１１Ａ，１１Ｂが対応する第１及び第２のねじりコイルばね１２Ａ，１２Ｂの付勢力に抗して回転盤１０の最小長さ部から離間する方向に揺動される。このように簡単な構成で、第１及び第２のアーム１１Ａ，１１Ｂを回転盤１０の最小長さ部から離間する方向に揺動させることができる。その後、靴を脱いで上板３から利用者が離れると、ボール２０Ａ，２０Ｂは、第１及び第２のアーム１１Ａ，１１Ｂの各基端部によって各テーパ面１９Ａ，１９Ｂに沿って押し上げられる。このとき、上板３が回転盤１０と一体回転しているので、ボール２０Ａ，２０Ｂは自転する。そのため、回転盤１０と共に上板３が反転する際の上板３に対する摩擦抵抗が低減される。
【００３６】
（３）第１及び第２のねじりコイルばね１２Ａ，１２Ｂの付勢力により回転盤１０が回転し始めるときに、第１及び第２のアーム１１Ａ，１１Ｂの各先端部のローラ１８Ａ，１８Ｂは、回転盤１０の第１及び第２のカム１４Ａ，１４Ｂの各凸周面１３Ａ，１３Ｂに接触しているので、回転盤１０の回転に伴って第１及び第２のカム１４Ａ，１４Ｂの各凸周面１３Ａ，１３Ｂを押す方向に転動する。その結果、回転盤１０及び上板３の両者の反転速度が増す。
【００３７】
以上のように、機械的要素のみで上板３の反転を円滑に行なえる結果、靴脱ぎ台１は軽量なものとなる。
【００３８】
なお、本発明は上記実施の形態に限定されるものではなく、本明細書に添付の特許請求の範囲内での種々の設計変更及び修正を加え得ることは勿論である。
【図面の簡単な説明】
【００３９】
【図１】本発明の実施の形態に係る靴脱ぎ台を上方から透視的に見た平面図である。
【図２Ａ】図１のＦ−Ｆ線断面図である。
【図２Ｂ】図１のＧ−Ｇ線断面図である。
【図３】利用者が靴を履いて乗ったときの靴脱ぎ台の状態を示す断面図であり、図１のＦ−Ｆ線断面に対応している。
【図４】靴脱ぎ台の動作メカニズムを図解的に示す平面図である。
【図５】利用者が靴を履いて乗ったときの靴脱ぎ台の状態を図解的に示す平面図である。
【図６】利用者が靴を脱いで離れたときの靴脱ぎ台の状態を示す断面図であり、図１のＦ−Ｆ線断面に対応している。
【図７】靴脱ぎ台において靴の方向が反転したときの状態を示す平面図である。
【符号の説明】
【００４０】
１  靴脱ぎ台
２  下板
３  上板
４  上板反転機構
６Ａ，６Ｂ  支持軸
１０  回転盤
１１Ａ，１１Ｂ  アーム
１２Ａ，１２Ｂ  ねじりコイルばね
１３Ａ，１３Ｂ  凸周面
１３Ａ１，１３Ｂ１  凸角部
１４Ａ，１４Ｂ  カム
１５Ａ，１５Ｂ  凹角部
１８Ａ，１８Ｂ  ローラ
１９Ａ，１９Ｂ  テーパ面
２０Ａ，２０Ｂ  ボール
２１  レール
Ｓ  靴
【図１】
0005316751.tif 000002
【図２Ａ】
0005316751.tif 000003
【図２Ｂ】
0005316751.tif 000004
【図３】
0005316751.tif 000005
【図４】
0005316751.tif 000006
【図５】
0005316751.tif 000007
【図６】
0005316751.tif 000008
【図７】
0005316751.tif 000009